【事件の表示】
　平成　９年特許願第５１０４０２号「選択呼出受信機においてメッセージにマーキングをする方法および装置」拒絶査定不服審判事件〔平成　９年　３月　６日国際公開、ＷＯ９７／０８９０１、平成１１年１０月１９日国内公表、特表平１１−５１２２０１〕について、次のとおり審決する。
【結　論】
　本件審判の請求は、成り立たない。
【理　由】
１　手続の経緯 ・本願発明
　本願は、１９９６年８月２２日（パリ条約による優先権主張１９９５年８月３０日、米国）を国際出願日とする出願であって、その請求項１に係る発明（以下「本願発明」という。）は、特許請求の範囲の請求項１に記載された次のとおりのものと認める。 
　
「テキスト・メッセージを受信，格納および表示する選択呼出受信機（１０）であって：
　テキスト・メッセージを受信する受信機（５４）；
　受信された前記テキスト・メッセージを格納するメモリ（５６）；
　格納された前記テキスト・メッセージをユーザが読み取り可能な形式で表示するディスプレイ装置（１２）；
　前記ユーザにより生成される入力を受信し、ユーザが前記メモリ（５６）内に格納された前記テキスト・メッセージを表示および操作することを可能にするユーザ・インタフェース（２２，２４，３０）；
　前記メモリ（５６）内に格納される命令のプロセッサによる読み取りが可能な媒体（１００）であって：
　　前記テキスト・メッセージが表示される間に、ユーザが前記テキスト・メッセージ内の選択された位置にメッセージ・タブを設定することを可能にするメッセージ・マーキング手段（２２，３１）；および
　　前記メッセージ・タブによりマーキングされた前記テキスト・メッセージ内の被選択位置までユーザが増分することを可能にするタブ増分手段（３６）；
　　によって構成される媒体（１００）；
　前記メモリ（５６）および前記ユーザ・インタフェース（２２，２４，３０）に結合され、前記メモリ（５６）内に格納される命令のプロセッサによる読み取りが可能な媒体（１００）を処理して、前記ユーザがメッセージ・タブを設定および格納し、前記メッセージ・タブによりマーキングされた前記テキスト・メッセージ内の被選択位置まで増分することを可能にするプロセッサ手段（５０）；および
　前記メッセージ・タブにより設定された被選択位置において前記テキスト・メッセージと共に表示されるメッセージ・マーカ指標（３２）；
　によって構成されることを特徴とする選択呼出受信機（１０）。」
　
２　引用刊行物記載の発明
　これに対して、原査定の拒絶の理由に引用された、本願の優先日前である昭和６０年４月２７日に頒布された「特開昭６０−７４７３５号公報 」（以下「引用例１」という。）には、次の事項が記載されている。
　
（イ）「本発明はメッセージ情報を受信出来る無線選択呼出受信機に関するものである。」（１頁右下欄５行〜６行）
　
（ロ）「第１図を参照すると，本発明の一実施例に係る無線選択呼出受信機が示されている。第１図において，１０はアンテナ，２０は無線部，３０は波形整形部，４０はアドレスデコーダ，５０は自己選択呼出番号等が書き込まれているプログラマブル・リード・オンリ・メモリ（Ｐ・ＲＯＭ），６０はメッセージデータ処理部，７０はバッファ，８０は呼出を表示する第１の表示手段，９０はメッセージデータや，操作スイッチＳ０，Ｓ１，Ｓ２，Ｓ３の持つ機能を表示する第２の表示手段である。」（２頁右上欄１５行〜左下欄５行）
　
（ハ）「さて，この無線選択呼出受信機の動作を第２図をも参照して説明する。
　アンテナ１０を介して，無線部２０で所望の無線信号が受信・復調され，波形整形部３０で第２図のａに示されるようなディジタル信号ａが得られる。…中略…信号ｂ（第１図）によってメッセージデータ処理部６０に起動を掛け，引き続くメッセージ信号Ｍの受信・復号を行なうと共に，ストップ信号Ｅの待ち受け状態となる。この動作フローを第３図に示す。」（２頁左下欄１６行〜右下欄１６行）
　
（ニ）「この状態でスイッチＳ０をアクセスすると受信機内に記憶されている受信メッセージの内容を読み出して表示する「読出表示モード」，またスイッチＳ１をアクセスすると「メッセージ表示モード」，またスイッチＳ２をアクセスすると「メッセージファイルアクセスモード」，そしてスイッチＳ３をアクセスすると「動作設定モード」状態に装置が設定され，各状態で更に夫々のスイッチをアクセスすると第４図に示すモードに装置を設定出来る。
　さらに第４図に示されていないが，同様なプロセスにより，例えば第４図の「スクロール動作設定モード」の状態でスイッチＳ１をアクセスすることにより「手動モード」，スイッチＳ２をアクセスすることにより「速度１秒の自動モード」そして，スイッチ“Ｓ３”をアクセスすることにより「速度３秒の自動モード」のように装置のモードを設定出来る。」（３頁右上欄７行〜左下欄４行）
　
（ホ）「先ずメッセージデータ処理部６０は，第５図のような構成で，６１はダイオード，６２はコンデンサ，１００は１チップＣＰＵ，２００は液晶表示装置（ＬＣＤ）ドライバー，３００はＲＡＭである。更に，これらの中で１チップＣＰＵ１００を第６図に，ＬＣＤドライバー２００を第７図に，そしてＲＡＭ３００を第８図に，詳細な構成を示す。
　第６図の１チップＣＰＵ１００において，１０１〜１０６は入力ポート，１０７は割り込みポート，１０８はシリアルインターフェース，１１１〜１１７は出力ポート，１２０はデータバスである。１３０は番地の内容を指定するプログラムカウンタ，１４０は実行すべき命令のシーケンスがストアされ，プログラムカウンタ１３０で指定された番地の内容を読出すプログラムメモリーである。
　１５０は算術演算・論理演算など各種の演算を行なうＡＬＵ（Ａｒｉｔｈｍｅｔｉｃ　ａｎｄ　Ｌｏｇｉｃ　Ｕｎｉｔ），１６０はプログラムメモリー１４０からの情報をデコードし，各部へその命令に対応する制御信号を供給するインストラクション・デコーダである。１７０はＲＡＭ１８０，各ポート１０１〜１１７間のデータの送受に用いられるＡＣＣ（Ａｃｃｕｍｌａｔｏｒ）である。１８０は各種データの記憶，サブルーチン，割り込みにおけるプログラムカウント，プログラムステータスの退避に用いられるＲＡＭである。１９０は実行命令サイクル時間を決定するシステムクロック発生回路である。」（３頁右下欄４行〜４頁左上欄１７行）
　
（ヘ）「１チップＣＰＵ１００は，復号された各ＢＣＨ（３１，２１）符号のうち情報ビット２０ビットを，メッセージ情報として外部ＲＡＭ３００に記憶保管するため，チップイネーブル信号線ＣＥを論理”０“レベルとすることにより外部ＲＡＭ３００を動作モードにし，ＲＡＭ３００の何番地に書き込むかをシリアルインタフェース１０８を介して，対応するアドレス情報を信号線ＳＯＵＴで転送する。
…中略…
この結果，第８図のＲＡＭ３００は，入力された各制御信号に対応して，信号線ＳＯＵＴを介して入力されたデータをメッセージデータとしてＸ・Ｙデコーダ３３０を介して，メモリーアレイ３４０に先程指定された番地に書き込む。」（５頁左上欄１２行〜右上欄２０行）
　
（ト）「ところで，メッセージ信号の受信終了と同時に復号されたメッセージデータが次の過程で表示される。
…中略…
外部ＲＡＭ３００から読み出されたデータを信号線ＳＯＵＴによってＬＣＤドライバ２００へ供給する。
　その結果，第７図のＬＣＤドライバ２００においては，…中略…シリアルインタフェース２９５を介して入力されるデータがキャラクタ発生回路２９０で７×５のドットマトリックスによるパターンに変換されて，データメモリ２５０に書き込まれると共に，ＬＣＤタイミングコントローラ２４０の制御でカラムドライバ２１０及びロラドライバ２２０を介して信号Ｃとされ，ＬＣＤ９０上に表示される。」（６頁左上欄６行〜左下欄１６行）
　
（チ）「機器操作者は必要なメッセージの箇所で再度スイッチＳ０をアクセスすることにより所望の記憶メッセージの内容を全てＬＣＤ９０上で確認することが可能となる。
　また，「メッセージファイルアクセスモード」でスイッチＳ１をアクセスすると，前述の記憶メッセージの読み出しと同一手順で，シンボル（Ｍ１〜Ｍ８）とそれに対応して格納されているメッセージの内容の最初の部分が，順に表示され，加えて読み出しモードと混乱しないように保護モードを示すシンボル”Ｐ”を点灯される。」（７頁左上欄８行〜１８行）
　
　これらの記載事項によると、引用例１には次の発明（以下、「引用例１発明」という。）が記載されていると認められる。
　
「メッセージ情報を受信出来る無線選択呼出受信機であって：
　所望の無線信号が受信・復調される無線部２０；
　受信されたデータをメッセージデータとしてメモリーアレイ３４０に書き込まれるＲＡＭ３００；
　メッセージデータを表示する第２の表示手段９０；
　操作スイッチＳ０，Ｓ１，Ｓ２，Ｓ３；
　実行すべき命令のシーケンスがストアされるプログラムメモリー１４０；および
　１チップＣＰＵ１００；
　によって構成される無線選択呼出受信機」
　
　同じく、原査定の拒絶の理由に引用された、本願の優先日前である平成５年７月２日に頒布された「特開平５−１６５８２９号公報 」（以下「引用例２」という。）には、次の事項が記載されている。
　
（リ）「【０００１】
【産業上の利用分野】本発明は作成文書中に目印を設定可能とし、これをしおりやメモ，インデックスなどとして利用可能な文書作成装置あるいは文書作成方法に関する。
【０００２】
【従来の技術】文書の作成にあたって、作成文書の内容を修正した場合や文書中において特に気に留めておきたい所には、作成文書を印刷した印刷物にラインマーカ等で目印を付けたり、また、気の付いたことをメモ用紙に記入してその紙をはさんでおくということがある。また、文書作成中に作成を一旦中断するような場合、どこまで作成，編集を行ったかを覚えておくため、また、次に編集を再開するとき、すぐその頁が開けるようにするために、作成文書を印刷した印刷物にしおりなどをはさんでおく場合がある。」（３頁右欄２４行〜３９行）
　
（ヌ）「【００１１】また、本発明の第２の目的は、前記目印を用いて簡単な操作で頁切り替えなどの画面操作が行えるようにし、前記目印をしおり的な用途として活用可能な文書作成装置を提供することにある。」（４頁左欄３８行〜４１行）
　
（ル）「【００２１】
【実施例】以下、本発明の構成および方法を日本語ワードプロセッサに実施した例について図により説明する。
【００２２】まず、図１は本発明を適用した日本語ワードプロセッサの構成について示したブロック図である。
【００２３】１は文字，コマンド等の入力を行うキーボード，マウスの入力部、２は現在の日付を保持する時計部である。３は半導体メモリや磁気記憶装置等による記憶部で、現在編集中の文書の情報が入っている文書データ３１があり、その中には文書の頁数の情報を管理する文書管理データ３２や、頁内の領域数等の頁の情報を管理する頁管理データ３３，領域の種別や頁内での位置等の領域の情報を管理する領域管理データ３４，それぞれの領域の個別の内容である領域要素データ３５がある。また、現在レイアウト表示している頁を記憶する表示頁データ３６や、指定状態にある目印の領域番号を記憶する目印対象指定データ３７，その指定状態にある目印が付与されている頁の頁番号を記憶する対象指定頁データ３８，目印の表示位置計算時に目印を頁の右端に重ならないように表示するための情報を記憶する目印表示位置計算データ３９，目印の表示位置情報を記憶する目印位置データ４０，目印を表示する際の条件を記憶する目印表示条件データ４１，目印の表示レベルや表示する目印の領域番号を記憶する表示目印データ４２，頁切り取り，取り出しを行う際に一時的に情報を確保する中継用バッファ４３，登録文書を格納する登録文書格納バッファ４４等がある。次に５は、前記各部の制御を行うためのマイクロプロセッサ等による制御部で、各種文書の作成，編集等の制御を行う編集制御部５１があり、その中には、文字の入力，編集を制御する文字制御部５２，図形の入力，編集を制御する図形制御部５３，目印の入力，編集を制御する目印編集制御部５４，文字領域や図形領域などの領域の編集を制御する領域編集制御部５５，頁の編集を制御する頁編集制御部５６，現在の時間の情報を時計部２より読みだす時計制御部５７，表示部６の制御を行う表示制御部５８，印刷部７を制御する印刷制御部５９がある。ここで、文字制御部５２，図形制御部５３，目印編集制御部５４，領域編集制御部５５，頁編集制御部５６は文書データ３１に対し、データの更新を行う。また、６は文字，図形，目印等の文書情報や頁枠などを表示するＣＲＴディスプレイなどによる表示部である。７は入力された内容を印刷するプリンタ等による印刷部である。」（５頁左欄４１行〜右欄３３行）
　
（ヲ）「【００３８】次に、頁に対して目印を貼り付けたり，はずしたり、また目印をグループ分けしたり、その目印にメモをつけるといった処理を行う目印編集処理（ステップ１２９）について、図１４を用いて説明する。
【００３９】編集モード選択メニュー（図３０）で目印編集が指定されると、目印編集メニュー画面（図３１）が表示され（ステップ２０１），入力待ち状態になる（ステップ２０２）。利用者からの入力があれば、その内容を編集制御部５１で判定し（ステップ２０３），目印貼り付けが指示されると、目印貼り付け編集処理を行い（ステップ２０４），目印はずしが指示されると、目印はずし編集処理を行い（ステップ２０５），目印一括はずしが指示されると、目印一括はずし編集処理を行い（ステップ２０６），目印メモ・種類が指示されると、目印メモ・種類変更処理を行い（ステップ２０７），画面操作が指示されると、画面操作処理を行う（ステップ２０８）。また、利用者により目印の指定・解除が指示されたら（ステップ２０２）、目印の指定・解除処理を行い（ステップ２０９）、次の入力待ち状態になる（ステップ２０２）。それぞれの処理が終わると、目印編集メニュー画面（図３１）が表示され（ステップ２０１）、入力待ち状態になる（ステップ２０２）。また、ステップ２０２で取消が指示されると目印編集処理は終わる。
…中略…
そして、表示目印データ４２を更新し（ステップ２１７），目印を表示することにより（ステップ２１８），表示頁に対する目印の貼り付けを行う。また、ステップ２１２で取消を指示すると目印貼り付け処理は終わる。」（７頁左欄１６行〜右欄１９行）
　
（ワ）「【００７０】これを利用すると、表示頁に目印がついている場合、表示している目印の表示において、一つ前の目印のついた頁に切り替えることができる。例えば、図５３のように３頁目が表示されている場合、前目印を指示すると、３頁目より前の頁で目印がついており、その中で最も近い頁である１頁目に表示頁が切り換わる（図５４）。また、表示している頁に目印がない場合は、表示頁の前方の頁の中で、最も近い表示目印のついた頁に切り替えることができる。」（１０頁右欄２８行〜３６行）
　
（カ）「【００７２】これを利用すると、表示頁に目印がついている場合、表示している目印の表示において、一つ後の目印のついた頁に切り替えることができる。例えば、図５４のように１頁目が表示されている場合、次目印を指示すると、１頁目より後の頁で目印がついており、その中で最も近い頁である３頁目に表示頁が切り換わる（図５４）。また、表示している頁に目印がない場合は、表示頁の後方の頁の中で、最も近い表示目印のついた頁に切り替えることができる。」（１１頁左欄８行〜１６行）
　
（ヨ）「【００９６】また、画面上に表示されている頁の切り替えに際して、次目印，前目印によって、目印のついている頁だけを順次参照するといった操作も可能となり、これによりあらかじめ目印を種類情報に従ってソート表示しておけば、特定の種類のみの目印が付与されている頁のみを次々に参照することができる。」（１３頁左欄１４行〜１９行）
　
　これらの記載事項によると、引用例２には次の発明（以下「引用例２発明」という。）が記載されているものと認める。
　
「目印を用いて簡単な操作で頁切り替えなどの画面操作が行えるようにし、前記目印をしおり的な用途として活用可能な文書作成装置であって、各部の制御を行うためのマイクロプロセッサ等による制御部５、目印の入力，編集を制御する目印編集制御部５４、表示部６の制御を行う表示制御部５８を有し、頁に対して目印を貼り付けたり，はずしたりといった処理を行う目印編集処理にて、利用者により目印の指定・解除が指示されたら、目印の指定・解除処理を行い、画面上に表示されている頁の切り替えに際して、次目印，前目印によって、目印のついている頁だけを順次参照するといった操作も可能となり、目印が付与されている頁のみを次々に参照することができる文書作成装置」
　
３　対比
　本願発明と引用例１発明を対比する。
　引用例１発明の「メッセージ情報」、「無線選択呼出受信機」、「入力されたデータをメッセージデータとしてメモリーアレイ３４０に書き込まれるＲＡＭ３００」、「第２の表示手段９０」及び「１チップＣＰＵ１００」は、本願発明の「テキスト・メッセージ」、「選択呼出受信機（１０）」、「受信された前記テキスト・メッセージを格納するメモリ（５６）」、「ディスプレイ装置（１２）」及び「プロセッサ手段（５０）」にそれぞれ相当する。
　
　引用例１発明の選択呼出受信機は、テキスト・メッセージを受信，格納および表示するものであることは明らかである。
　引用例１発明の「所望の無線信号」は、その後復調されてテキスト・メッセージが得られるものであることから、引用例１発明の「所望の無線信号が受信・復調される無線部２０」は、本願発明の「テキスト・メッセージを受信する受信機（５４）」に相当する。
　引用例１発明の第２の表示手段９０には、ユーザが読み取り可能な形式でテキスト・メッセージが表示されることは当然である。
　上記摘記事項（ニ）及び（チ）の記載から、引用例１発明の「操作スイッチＳ０，Ｓ１，Ｓ２，Ｓ３」は、本願発明の「ユーザにより生成される入力を受信し、ユーザが前記メモリ（５６）内に格納された前記テキスト・メッセージを表示および操作することを可能にするユーザ・インタフェース（２２，２４，３０）」に相当する。
　本願発明の「媒体（１００）」は、「命令のプロセッサによる読み取りが可能な」ものであり、かつ、これを「処理して、…中略…メッセージ・タブを設定および格納し、…中略…増分する」ことを「プロセッサ手段（５０）」に可能にさせるものであることから、引用例１発明における「実行すべき命令のシーケンス」に対応するものと認められる。
　引用例１の第５図を参照して、引用例１の１チップＣＰＵには、操作スイッチＳ０，Ｓ１，Ｓ２，Ｓ３とＲＡＭ３００が結合されていることは明らかである。
　また摘記事項（ホ）から、引用例１発明の「１チップＣＰＵ１００」は、「実行すべき命令のシーケンス」を処理すること、すなわち「媒体を処理する」ものであることは明らかである。
　
　以上を総合して、本願発明と引用例１発明とは、次の点で一致するものと認める。
　
「テキスト・メッセージを受信，格納および表示する選択呼出受信機であって：
　テキスト・メッセージを受信する受信機；
　受信された前記テキスト・メッセージを格納するメモリ；
　格納された前記テキスト・メッセージをユーザが読み取り可能な形式で表示するディスプレイ装置；
　前記ユーザにより生成される入力を受信し、ユーザが前記メモリ内に格納された前記テキスト・メッセージを表示および操作することを可能にするユーザ・インタフェース；
　プロセッサによる読み取りが可能な媒体；および
　前記メモリおよび前記ユーザ・インタフェースに結合され、プロセッサによる読み取りが可能な媒体を処理するプロセッサ手段（５０）；
　によって構成されることを特徴とする選択呼出受信機（１０）。」
　
　また、次の点で相違するものと認める。
　
＜相違点ａ＞
　本願発明の「媒体（１００）」は、「テキスト・メッセージを格納するメモリ（５６）」に格納されるものであるのに対し、引用例１発明の媒体は、プログラムメモリー１４０にストアされるものである点。
　
＜相違点ｂ＞
　本願発明の、媒体（１００）は、「テキスト・メッセージが表示される間に、ユーザが前記テキスト・メッセージ内の選択された位置にメッセージ・タブを設定することを可能にするメッセージ・マーキング手段（２２，３１）；および
　前記メッセージ・タブによりマーキングされた前記テキスト・メッセージ内の被選択位置までユーザが増分することを可能にするタブ増分手段（３６）；」によって構成され、プロセッサ手段（５０）は、該「媒体（１００）を処理して、前記ユーザがメッセージ・タブを設定および格納し、前記メッセージ・タブによりマーキングされた前記テキスト・メッセージ内の被選択位置まで増分することを可能にする」ものであるのに対し、引用例１発明の、媒体はそのような手段を有さず、プロセッサ手段はそのような処理を行わない点。
　
＜相違点ｃ＞
　本願発明は、「前記メッセージ・タブにより設定された被選択位置において前記テキスト・メッセージと共に表示されるメッセージ・マーカ指標（３２）」を有するのに対し、引用例１発明はそのような指標を有しない点。
　
４　当審の判断
＜相違点ａ＞
　一般にプログラムをどの記憶手段に記憶させるかは、装置に設けられる記憶手段の容量やアクセス速度等を考慮して決すべき設計的事項に過ぎず、テキスト・メッセージを格納するメモリに格納することは当業者が適宜なし得る事項に過ぎない。
　
＜相違点ｂ＞及び＜相違点ｃ＞
　まず本願発明の「メッセージ・タブ」について検討する。
　本願明細書の発明の詳細な説明には、「メッセージ・タブ」なる語は記載されておらずその意味は明確ではない。しかしながら、本願明細書には、「本発明の好適な実施例を参照して、選択呼出受信機１０は、一般に、メッセージ内の所定の位置にメッセージ・マーカを設定する手段，すでに設定されたメッセージ・マーカを削除する手段および設定されたメッセージ・マーカ３２に直接、あるいはそれらの間で進行する手段によって構成される。メッセージ・マーカ３２設定手段は、読込キー２２など、メッセージ内の選択された位置にマーカを専門的に起動する少なくとも１つのキーと、コード１００のメニュー・モードにおいてユーザによりカーソルでハイライト表示されるメッセージ・マーキング・アイコン３２と、ユーザにより設定された点に視覚的に対話的に最も近接して設定されるメッセージ・マーカ３２または指標手段とによって構成される。メッセージ・マーキング手段は、メッセージ・マーキング・アイコン３１およびメッセージ・マーカ３２を動作して配置する命令のプロセッサによる読込が可能な媒体のサブルーチンも備える。
…中略…
メッセージ・マーカ３２が設定されると、コード１００は自動的にメッセージ内を、戻り、メッセージを送付およびスクロールするか、あるいはメッセージに戻るために別のキー操作を必要とすることがある。…中略…第２図および第４図に示されるように、メッセージ操作サブルーチン内では、ユーザはメッセージ内をスクロールして別のメッセージ・マーカ３２を設定する位置を発見するか、あるいはメッセージ・マーカ３２を設定するための異なるメッセージ内をスクロールすることができる。」（本願の対応公報である、特表平１１−５１２２０１号公報１５頁１１行〜１７頁７行。）と記載されており、「メッセージ・タブを設定」する「メッセージマーキング手段」は、「メッセージ・マーカ（メッセージ・マーキング・アイコン（同公報１５頁１７行〜１８行、１６頁８行〜９行）、メッセージ・マーキング・アイコン３１（同公報１６頁２１行）等の記載もみられる。）３２」を設定するものであることから、「メッセージ・タブ」は、「メッセージ・マーカ３２」とほぼ同義であるものと認められる。
　また、本願発明の「メッセージ・タブによりマーキングされた前記テキスト・メッセージ内の被選択位置までユーザが増分する」とは、意味するところが必ずしも明確ではないものの、「第５図を参照して、メッセージ・マーカ３２の設定およびプロンプト動作は、マイクロプロセッサ／コントローラ５０によって実行されることが好ましい。マイクロプロセッサ／コントローラ５０は、ＲＡＭ，ＲＯＭ，スクラッチパッド・メモリおよび／または現在周知の不揮発性メモリ・アーキテクチャ５６内に、メッセージ・マーキングおよび増分システム３６とユーザが操作するキー／スイッチとを介して格納されるコード１００を操作する。ユーザは、メニュー・キー２４，読込キー２２およびスクロール・キー３０などの触覚キーを介してプロセッサ５０への入力を開始し、メモリ５６からメッセージを引き出し、メッセージ内をスクロールし、メッセージ・マーカ３２をメッセージ内に設定してマーキングされた点または点群が自動的に参照できるようにする。」（同公報１７頁１７行〜２７行）との記載、及び「マーカによって、ユーザはメッセージ内を迅速にジャンプすることができ、あるいはスクリーンを選択してメッセージ・プレビュー・ディスプレイを行うことができる。」（同公報２８頁８行〜１０行）との記載がみられることから、メッセージ・マーカが設定されている箇所間においてジャンプして表示することを指すものと認められる。
　
　一方、引用例２発明の「目印」は、目印編集制御部によって頁に対して貼り付けたりはずしたりされ、また、目印のついている頁だけを順次参照するといった操作も可能になるものであり、また当該目印が付された頁を表示するにあたって、当該頁のデータと目印とは共に表示されるものであるから、本願発明の「メッセージ・タブ」または「メッセージ・マーカ指標」に相当するものと認められる。
　してみれば、引用例２発明の「頁に対して目印を貼り付けたり，はずしたりといった処理を行う目印編集処理」及び「目印が付与されている頁のみを次々に参照する」処理は、その機能からして、本願発明の「テキスト・メッセージが表示される間に、ユーザが前記テキスト・メッセージ内の選択された位置にメッセージ・タブを設定することを可能にするメッセージ・マーキング手段」及び「メッセージ・タブによりマーキングされた前記テキスト・メッセージ内の被選択位置までユーザが増分することを可能にするタブ増分手段」に相当するものである。
　引用例２発明の装置は、文書作成などを行うものであるが、上記処理を一般にテキストデータを参照する際に適用可能であることは当業者に自明である。また、テキストデータを参照するにあたって、何らかの目印を付けておいて参照に供することは、引用例２の摘記事項（リ）の「従来技術」の項に記載されているように、従来から慣用されている技術に過ぎないこと、さらに、摘記事項（ニ）から、引用例１発明の選択呼出受信機においても、テキストデータをスクロール等を行って読み出しを行うものであること、及び、引用例１発明に引用例２発明の目印を付けて参照する技術を採用することを妨げる特段の事情は存在しないことなどに鑑みれば、引用例１発明に引用例２発明の技術を適用して、「テキスト・メッセージが表示される間に、ユーザが前記テキスト・メッセージ内の選択された位置にメッセージ・タブを設定することを可能にするメッセージ・マーキング手段（２２，３１）；および
　前記メッセージ・タブによりマーキングされた前記テキスト・メッセージ内の被選択位置までユーザが増分することを可能にするタブ増分手段（３６）；」によって構成される媒体を設け、プロセッサ手段に当該処理を行わせると共に、「前記メッセージ・タブにより設定された被選択位置において前記テキスト・メッセージと共に表示されるメッセージ・マーカ指標（３２）」を有するものとすることは、当業者にとって容易であったといわざるを得ない。
　
　また、本願発明の効果も、引用例１、引用例２及び慣用技術に基づけば、当業者が普通に想起する範囲内のものである。
　
５　むすび
　したがって、本願発明は、引用例１に記載された発明、引用例２に記載された発明及び慣用技術に基づいて当業者が容易に発明をすることができたものであるから、特許法２９条２項の規定により特許を受けることができない。
　よって、結論のとおり審決する。